(57)【特許請求の範囲】
【請求項１】
パイプの内周面に当接される当接面を上面に有する下側挟持部分と、この下側挟持部材の上記当接面から所望距離だけ離間して上記当接面に対向配置せしめた上側挟持部分と、上記下側及び上側挟持部分を一体に保持する保持連結部分と、上記上側挟持部分に形成したねじ孔と、このねじ孔に螺合され、その下面が上記パイプの外周面に対接される締付ボルトとより成ることを特徴とする仮設建築物用パイプクランプ。
【請求項２】
第１のパイプの内、外周間を挟持してこれに固定される第１のパイプクランプと、第２のパイプの外周面両側を挟持してこれに固定される第２のパイプクランプと、上記第１、第２のパイプクランプを互いに接続する連結手段とより成り、
上記第１のパイプクランプが、パイプの内周面に当接される当接面を上面に有する下側挟持部分と、この下側挟持部分の上記当接面から所望距離だけ離間して上記当接面に対向配置せしめた上側挟持部分と、上記下側及び上側挟持部分を一体に保持する保持連結部分と、上記上側挟持部分に形成したねじ孔と、このねじ孔に螺合され、その下面が上記パイプの外周面に対接される締付ボルトとより成り、
上記第２のパイプクランプが、一方及び他方のクランプ素子と、これらを一体に結合する締付つなぎ手段とより成り、上記一方のクランプ素子が、挟持すべきパイプの外周の略半周に亘り合致するよう弧状に湾曲せしめた、外周面に突出物を有しない一方の湾曲クランプ部分と、この湾曲クランプ部分に連なる一方の板状クランプ部分と、この一方の板状クランプ部分に設けたねじ孔とボルト孔の何れか一方及び上記一方の板状クランプ部分の遊端のパイプ挟持面側に設けた凸部とより成り、上記他方のクランプ素子が、上記一方の弧状湾曲クランプ部分と略同一形状の他方の湾曲クランプ部分と、この他方の湾曲クランプ部分に連なる、他方の板状クランプ部分と、この他方の板状クランプ部分に設けたねじ孔とボルト孔の何れか他方及び上記一方の板状クランプ部分の遊端部に対向する位置となる上記他方の板状クランプ部分に突設せしめた支点部とより成る
ことを特徴とする仮設建築物用パイプ連結装置。
【請求項３】
上記連結手段が、上記第１のパイプクランプの保持連結部分間を取付角度自在に連結するつなぎプレートと、上記第２のパイプクランプの上記他方の板状クランプ部分とより成ることを特徴とする請求項２記載の仮設建築物用パイプ連結装置。
【発明の詳細な説明】
【技術分野】
【０００１】
本発明は仮設建築物用パイプクランプ及び仮設建築物用パイプ連結装置、特に、パイプを掴んでパイプ同志を固定したりＨ鋼等の構造物に固定するために用いる仮設建築物用パイプクランプ及びこれを用いた仮設建築物用パイプ連結装置に関するものである。
【背景技術】
【０００２】
従来、建築足場用パイプクランプとしては特許文献１に示されたものがある。
【特許文献１】特開２００６−１７７０４８
【発明の開示】
【発明が解決しようとする課題】
【０００３】
一般に、仮設建築物用として用いる複数の互いに交叉する方向のパイプ類を接続するためのパイプクランプは、仮設用であるため永久的な使用は必要とせず、簡単に取り付け、取り外しができるものであると共に構造が簡単で廉価であることが必要とされる。
【０００４】
然しながら上記従来のパイプクランプにおいてはその構造が複雑で高価であると共に、パイプに対するパイプクランプの取り付け角度が限定されるよになる。また、複数の配向方向の異なるパイプを簡単に連結できる装置は得られていない。
【０００５】
本発明の仮設建築物用パイプクランプは上記の欠点を除くようにしたものである。また、本発明の仮設建築物用パイプクランプ及び仮設建築物用パイプ連結装置は、複数の配向方向の異なるパイプを簡単に連結できるようにしたものである。
【課題を解決するための手段】
【０００６】
本発明の仮設建築物用パイプクランプは、パイプの内周面に当接される当接面を上面に有する下側挟持部分と、この下側挟持部材の上記当接面から所望距離だけ離間して上記当接面に対向配置せしめた上側挟持部分と、上記下側及び上側挟持部分を一体に保持する保持連結部分と、上記上側挟持部分に形成したねじ孔と、このねじ孔に螺合され、その下面が上記パイプの外周面に対接される締付ボルトとより成ることを特徴とする。
【０００７】
上記仮設建築物用パイプ連結装置は、第１のパイプの内、外周間を挟持してこれに固定される第１のパイプクランプと、第２のパイプの外周面両側を挟持してこれに固定される第２のパイプクランプと、上記第１、第２のパイプクランプを互いに接続する連結手段とより成り、
上記第１のパイプクランプが、パイプの内周面に当接される当接面を上面に有する下側挟持部分と、この下側挟持部分の上記当接面から所望距離だけ離間して上記当接面に対向配置せしめた上側挟持部分と、上記下側及び上側挟持部分を一体に保持する保持連結部分と、上記上側挟持部分に形成したねじ孔と、このねじ孔に螺合され、その下面が上記パイプの外周面に対接される締付ボルトとより成り、
上記第２のパイプクランプが、一方及び他方のクランプ素子と、これらを一体に結合する締付つなぎ手段とより成り、上記一方のクランプ素子が、挟持すべきパイプの外周の略半周に亘り合致するよう弧状に湾曲せしめた、外周面に突出物を有しない一方の湾曲クランプ部分と、この湾曲クランプ部分に連なる一方の板状クランプ部分と、この一方の板状クランプ部分に設けたねじ孔とボルト孔の何れか一方及び上記一方の板状クランプ部分の遊端のパイプ挟持面側に設けた凸部とより成り、上記他方のクランプ素子が、上記一方の弧状湾曲クランプ部分と略同一形状の他方の湾曲クランプ部分と、この他方の湾曲クランプ部分に連なる、他方の板状クランプ部分と、この他方の板状クランプ部分に設けたねじ孔とボルト孔の何れか他方及び上記一方の板状クランプ部分の遊端部に対向する位置となる上記他方の板状クランプ部分に突設せしめた支点部とより成る
ことを特徴とする仮設建築物用パイプ連結装置。
【０００８】
上記連結手段は、上記第１のパイプクランプの保持連結部分間を取付角度自在に連結するつなぎプレートと、上記第２のパイプクランプの上記他方の板状クランプ部分とより成ることを特徴とする。
【発明の効果】
【０００９】
本発明の仮設建築物用パイプクランプは構造が簡単で廉価であると共に、パイプ素子の外周面に突起物がないためシート張設等に何等の支障も生じないとともに、パイプクランプをパイプに任意の角度で固定できるようになるという大きな効果がある。また、本発明の仮設建築物用パイプクランプ及び仮設建築物用パイプ連結装置によれば複数の配置方向の異なるパイプを簡単に連結できるようになる。
【発明を実施するための最良の形態】
【００１０】
以下図面によって本発明の実施例を説明する。
【実施例１】
【００１１】
本発明の仮設建築物用パイプクランプ２０は、図１及び図２に示すようにパイプ１ａの内周面に当接される当接面２１を上面に有する下側挟持部分２２と、この下側挟持部分２２の上記当接面２１から所望距離だけ離間して上記当接面２１に対向配置せしめた上側挟持部分２３と、上記下側及び上側挟持部分２２，２３を一体に保持する保持連結部分２４と、上記上側挟持部分２３に形成した垂直ねじ孔２５と、この垂直ねじ孔２５に螺合され、その下面が上記パイプ１ａの外周面に対接される締付ボルト２６とより成る。
【００１２】
本発明の仮設建築物用パイプクランプ２０は上記のような構成であるから図２に示すように上記下側挟持部分２２と上側挟持部分２３間に形成される隙間間にパイプ１ａを挿入し、締付ボルト２６を締め付け、この締付ボルト２６の下端と上記下側挟持部分２２の上側当接面２１間にパイプ１ａの外周面と内周面間を挟持すれば、仮設建築物用パイプクランプ２０をパイプ１ａに対し任意の角度で固定できるようになる。
【００１３】
本発明の仮設建築物用パイプクランプ２０を図３及び図４に示すように夫々異なるパイプ１ａ，１ａに固定せしめ、各パイプクランプ２０，２０の保持連結部分２４，２４を互いにボルト、ナット等の連結手段２５によって連結せしめれば、パイプ１ａと１ａを任意の配向角度で連結できるようになる。
【００１４】
本発明の仮設建築物用パイプ連結装置は、図５に示すように上記図１及び図２に示すパイプクランプ２０と同一構成で、第１のパイプ１ａに固定される第１のパイプクランプ３０と、第２のパイプ１ｂに固定される第２のパイプクランプ４０と、上記第１、第２のパイプクランプ３０と４０を互いに接続する連結手段５０とにより構成する。
【００１５】
上記第２のパイプクランプ４０は図６に示すように一方及び他方のクランプ素子７、１４と、これらを一体に結合するためのボルト１０等を有する締付つなぎ手段１５とにより構成する。
【００１６】
上記一方のクランプ素子７は図７に示すように挟持すべき仮設建築物用のパイプ１ｂの外周の略半周、例えば略１５０°に亘り、上記パイプ１ｂの外周面に合致する内周面２を有するよう弧状に湾曲せしめた、外周面３に突出物を有しない所定の幅の一方の板状湾曲クランプ部分４と、この一方の湾曲クランプ部分４に一体に連なる一方の板状クランプ部分５と、この一方の板状クランプ部分５に設けたねじ孔６と、上記一方の板状クランプ部分５の遊端のパイプ狭持面側に設けた凸部とにより構成する。
【００１７】
上記他方のクランプ素子１４は、図８に示すように上記一方の弧状湾曲クランプ部分４と略同一形状の他方の弧状湾曲クランプ部分８と、この他方の湾曲クランプ部分８に一体に連なる、上記一方の板状クランプ部分５より十分に長い他方の板状クランプ部分９と、上記一方の板状クランプ部分５のねじ孔６に対向する位置で、上記他方の板状クランプ部分９に設けたボルト孔１１及び上記他方の板状クランプ部分９の遊端部分に設けた、ブラケットクランプ等に取付ける取付部となる孔１２並びに、上記一方の板状クランプ部分５の遊端部分に対向する位置で上記他方の板状クランプ部分９に突設せしめた支点部１３とにより構成する。
【００１８】
上記第２のパイプクランプ４０は、上記のような構成であるからその使用に際しては、図９に示すように一方及び他方のクランプ素子７と１４の湾曲クランプ部４と８によりパイプ１ｂを挟持し、ボルト１０をねじ孔６にボルト孔１１を介して螺合してパイプ１ｂにパイプクランプ４０を固定せしめ、このパイプクランプ４０を固定構造物等に取付用の孔１２を介して固定する。これによればパイプクランプ４０をパイプ１ｂに対し任意の角度で固定できるようになる。
【００１９】
パイプ１ｂを釈放する場合にはボルト１０をねじ孔６から緩め、支点部１３を支点として他方のクランプ素子１４を一方のクランプ素子７に相対的に傾動せしめれば、上記一方及び他方の湾曲クランプ部分４と８間に図９に示すように大きな隙間１８が形成され、パイプクランプ４０からパイプ１ｂを容易に離脱できるようになる。
【００２０】
なお、図５は第１、第２のパイプクランプ３０と４０を夫々２個用い４本のパイプを互いに交叉連結せしめた例を示す。
【図面の簡単な説明】
【００２１】
【図１】本発明の仮設建築物用パイプクランプの斜視図である。
【図２】図１に示すパイプクランプの正面図である。
【図３】本発明の仮設建築物用パイプクランプの使用状態を示す平面図である。
【図４】本発明の仮設建築物用パイプクランプの使用状態説明図である。
【図５】本発明の仮設建築物用パイプ連結装置の組立図である。
【図６】本発明の仮設建築物用パイプ連結装置における第２のパイプクランプの組立図である。
【図７】図６に示す第２のパイプクランプの一方のクランプ素子の斜視図である。
【図８】本発明の仮設建築物用パイプ連結装置における第２のパイプクランプの他方のクランプ素子の斜視図である。
【図９】本発明の仮設建築物用パイプ連結装置における第２のパイプクランプの使用状態説明図である。
【符号の説明】
【００２２】
１ａ  パイプ
１ｂ  パイプ
２    内周面
３    外周面
４    板状クランプ部分
５    板状湾曲クランプ部分
６    ねじ孔
７    クランプ素子
８    板状湾曲クランプ部分
９    板状クランプ部分
１０    ボルト
１１    ボルト孔
１２    孔
１３    支点部
１４    クランプ素子
１５    締付つなぎ手段
１７    プラケットクランプ
１８    隙間
２０    パイプクランプ
２１    当接面
２２    下側挟持部分
２３    上側挟持部分
２４    保持連結部分
２５    垂直ねじ孔
２６    締付ボルト
３０    パイプクランプ
４０    パイプクランプ
５０    連結手段
【図１】
0004699441.tif 000002
【図２】
0004699441.tif 000003
【図３】
0004699441.tif 000004
【図４】
0004699441.tif 000005
【図５】
0004699441.tif 000006
【図６】
0004699441.tif 000007
【図７】
0004699441.tif 000008
【図８】
0004699441.tif 000009
【図９】
0004699441.tif 000010